(57)【特許請求の範囲】
【請求項１】
海面部に展張されている海苔網を船上に掬い上げる際に、海面部に展張されている海苔網に対して海苔網の海底側から洗浄流体を海中で流出させて、海中において異物を除去させることを特徴とする海苔洗浄方法。
【請求項２】
船体の船首部の前方位置に配設され海面部に展張されている海苔網に対して海底側から洗浄流体を海中で流出させて、海中において異物を除去させる複数のノズルを備えた流体流出部材と、この流体流出部材へ洗浄流体を送出するポンプとを有することを特徴とする海苔洗浄装置。
【請求項３】
前記洗浄流体が海水であることを特徴とする請求項２に記載の海苔洗浄装置。
【請求項４】
前記流体流出部材は、前記ノズルから流出する洗浄流体の流出力が海苔網の幅方向で異なるように構成されていることを特徴とする請求項２または請求項３に記載の海苔洗浄装置。
【請求項５】
前記ノズルから流出する洗浄流体の流出力は、海苔網の幅方向の中央部における洗浄流体の流出力を、海苔網の幅方向の端部における洗浄流体の流出力より大きくするように構成されていることを特徴とする請求項２乃至請求項４の何れか１項に記載の海苔洗浄装置。
【請求項６】
前記流体流出部材は、海苔網の幅方向の中央部に位置する部位を、海苔網の幅方向の端部に位置する部位より船体の進行方向の前方に位置するように構成されていることを特徴とする請求項２乃至請求項５の何れか１項に記載の海苔洗浄装置。
【請求項７】
船体の船首部の前方位置に配設され海面部に展張されている海苔網に対して海底側から洗浄流体を流出する複数のノズルを備えた流体流出部材と、この流体流出部材へ洗浄流体を送出するポンプとを有し、前記流体流出部材は、前記ノズルから流出する洗浄流体の流出力が海苔網の幅方向で異なるように構成されていることを特徴とする海苔洗浄装置。
【請求項８】
船体の船首部の前方位置に配設され海面部に展張されている海苔網に対して海底側から洗浄流体を流出する複数のノズルを備えた流体流出部材と、この流体流出部材へ洗浄流体を送出するポンプとを有し、前記洗浄流体が海水であり、前記流体流出部材は、前記ノズルから流出する洗浄流体の流出力が海苔網の幅方向で異なるように構成されていることを特徴とする海苔洗浄装置。
【請求項９】
前記ノズルから流出する洗浄流体の流出力は、海苔網の幅方向の中央部における洗浄流体の流出力を、海苔網の幅方向の端部における洗浄流体の流出力より大きくするように構成されていることを特徴とする請求項７または請求項８に記載の海苔洗浄装置。
【請求項１０】
前記流体流出部材は、海苔網の幅方向の中央部に位置する部位を、海苔網の幅方向の端部に位置する部位より船体の進行方向の前方に位置するように構成されていることを特徴とする請求項７乃至請求項９の何れか１項に記載の海苔洗浄装置。
【発明の詳細な説明】
【０００１】
【発明の属する技術分野】
本発明は、海苔の養殖場の海面に展張されている海苔を養殖する海苔網から海苔を刈り取る際に、刈り取った海苔に異物が混入するのを防止することのできる海苔洗浄方法および海苔洗浄装置に関する。
【０００２】
【従来の技術】
一般に、海苔養殖は海苔網に浮き子を取り付けて海面に浮かすように展張して錨で止める浮き流し方式や、海中に立設した支柱に海苔網を係留して展張した支柱方式によって行われている。この両方式の使い分けは、養殖場の立地条件により決定されている。
【０００３】
一方、このような海苔養殖においては、海苔網からの海苔の刈取り作業ならびに海苔網の酸処理作業等を能率よく行なう必要があり、本出願人は特開平４−２２８０１５号公報により、この問題を解決した海苔作業船としてもぐり船と称される海苔網の酸処理船および海苔の刈取り酸処理船を提案している。すなわち、動力推進機構により自力推進しながら、先端部が海中に没している案内部材を海面に展張されている海苔網の下方へ入れて、自動的に海苔網を海面から連続的に掬い上げ、船体に設けた海苔の刈取り機構、酸処理機構等により効率的に作業を行なうとともにその省力化を図っている。
【０００４】
【発明が解決しようとする課題】
ところで、近年の益々高まる環境問題に対する認識の向上に見られるように、様々な環境汚染が広がっており、海岸の近傍に設けられる海苔の養殖場の環境においても、益々環境が悪化し、海苔の養殖場の海面の汚れがひどく、ゴミ等の多種多様の浮遊物が多く見られるようになってきている。
【０００５】
このような海苔の養殖場の海面状態において、前述した従来の海苔作業船により海苔の刈取り等の作業を行なうと、海苔網を海面から船体に掬いあげる時に、海面に浮遊しているゴミ等の浮遊物を主とした異物が海苔網に繁殖させた海苔に付着し、異物の付着した海苔を海苔網から刈取ることになる。
【０００６】
すなわち、海苔網から刈取った海苔に異物が混在することとなり、この状態のままでは海苔の品質が低下するという問題点があった。
【０００７】
この問題点を解決するために、従来は刈取った海苔を水洗い等により洗浄して浮遊物を主とした異物を洗い流すようにしている。しかし、このような方法では、多大な労力ならびに時間を必要とするとともに、異物の除去が十分なされないという問題点があった。
【０００８】
そこで、船上に掬い上げた海苔を刈り取る前の海苔網に対してシャワーリングを施すことにより、海苔網から海苔を刈り取る前に、海苔網に繁殖した海苔に付着した異物を除去する方法が提案されているが、このような方法では、労力ならびに時間を短縮することはできるものの、異物の除去が未だ十分でなく、海苔の品質が低下するという問題点があった。
【０００９】
本発明はこれらの点に鑑みてなされたものであり、海面に浮遊している浮遊物を主とした異物が海苔網に繁殖している海苔に付着するという不都合を防止することのできる海苔洗浄方法および海苔洗浄装置を提供することを目的とする。
【００１０】
【課題を解決するための手段】
前述した目的を達成するため本発明の請求項１に記載の海苔洗浄方法の特徴は、海面部に展張されている海苔網を船上に掬い上げる際に、海面部に展張されている海苔網に対して海苔網の海底側から洗浄流体を海中で流出させて、海中において異物を除去させる点にある。ここでいう海面部に展張されている海苔網とは、ほぼ海面と同一の位置に展張されているものから、海面近くで海中に没している位置に展張されているものを含むものである。
【００１１】
そして、海面部に展張されている海苔網に対して海苔網の海底側から洗浄流体を海中で流出させて、海中において異物を除去させることにより、海面部に展張されている海苔網を船上に掬い上げる際に、海苔網および海苔網に繁殖している海苔に付着する異物および既に付着している異物を海苔網の周りに移動させて分離することができる。
【００１２】
また、本発明の請求項２に記載の海苔洗浄装置の特徴は、船体の船首部の前方位置に配設され海面部に展張されている海苔網に対して海底側から洗浄流体を海中で流出させて、海中において異物を除去させる複数のノズルを備えた流体流出部材と、この流体流出部材へ洗浄流体を送出するポンプとを有する構成とした点にある。
【００１３】
そして、このような構成とすることにより、洗浄流体は、ポンプによって流体流出部材へ送出され、流体流出部材のノズルから海面部に展張されている海苔網に対して海底側から洗浄流体を海中で流出させることができ、その結果、海面部に展張されている海苔網を船上に掬い上げる際に、海苔網および海苔網に繁殖している海苔に付着する異物および既に付着している異物を海苔網の周りに移動させて分離することができる。
【００１４】
さらに、本発明の請求項３に記載の海苔洗浄装置の特徴は、請求項２において、洗浄流体が海水である構成とした点にある。
【００１５】
そして、このような構成とすることにより、洗浄流体の調達を容易とすることができる。
【００１６】
さらにまた、本発明の請求項４に記載の海苔洗浄装置の特徴は、請求項２または請求項３において、流体流出部材は、ノズルから流出する洗浄流体の流出力が海苔網の幅方向で異なるように構成した点にある。
【００１７】
そして、このような構成とすることにより、洗浄部位における海水に対して、海苔網および海苔網に繁殖している海苔に付着する異物および既に付着している異物を海苔網の周りに移動させる方向への流れを形成することができる。
【００１８】
また、本発明の請求項５に記載の海苔洗浄装置の特徴は、請求項２乃至請求項４の何れか１項において、ノズルから流出する洗浄流体の流出力は、海苔網の幅方向の中央部における洗浄流体の流出力を、海苔網の幅方向の端部における洗浄流体の流出力より大きくするように構成した点にある。
【００１９】
そして、このような構成とすることにより、洗浄部位における海水に対して、海苔網および海苔網に繁殖している海苔に付着する異物および既に付着している異物を海苔網の周りに移動させる方向への流れをより確実に形成することができる。
【００２０】
また、本発明の請求項６に記載の海苔洗浄装置の特徴は、請求項２乃至請求項５の何れか１項において、流体流出部材は、海苔網の幅方向の中央部に位置する部位を、海苔網の幅方向の端部に位置する部位より船体の進行方向の前方に位置するように構成した点にある。
【００２１】
そして、このような構成とすることにより、洗浄部位における海水に対して、海苔網および海苔網に繁殖している海苔に付着する異物および既に付着している異物を海苔網の周りに移動させる方向への流れをよりさらに確実に形成することができる。
【００２２】
また、本発明の請求項７に記載の海苔洗浄装置の特徴は、船体の船首部の前方位置に配設され海面部に展張されている海苔網に対して海底側から洗浄流体を流出する複数のノズルを備えた流体流出部材と、この流体流出部材へ洗浄流体を送出するポンプとを有し、前記流体流出部材は、前記ノズルから流出する洗浄流体の流出力が海苔網の幅方向で異なるように構成した点にある。
【００２３】
そして、このような構成とすることにより、洗浄流体は、ポンプによって流体流出部材へ送出され、流体流出部材のノズルから海面部に展張されている船上に掬い上げる前の海苔網に対して海底側から洗浄流体を流出することができ、その結果、海苔網および海苔網に繁殖している海苔に付着する異物および既に付着している異物を海苔網の周りに移動させて分離することができる。さらに、流体流出部材は、洗浄部位における海水に対して、海苔網および海苔網に繁殖している海苔に付着する異物および既に付着している異物を海苔網の周りに移動させる方向への流れを形成することができる。
【００２４】
また、本発明の請求項８に記載の海苔洗浄装置の特徴は、船体の船首部の前方位置に配設され海面部に展張されている海苔網に対して海底側から洗浄流体を流出する複数のノズルを備えた流体流出部材と、この流体流出部材へ洗浄流体を送出するポンプとを有し、前記洗浄流体が海水であり、前記流体流出部材は、前記ノズルから流出する洗浄流体の流出力が海苔網の幅方向で異なるように構成した点にある。
【００２５】
そして、このような構成とすることにより、洗浄流体は、ポンプによって流体流出部材へ送出され、流体流出部材のノズルから海面部に展張されている船上に掬い上げる前の海苔網に対して海底側から洗浄流体を流出することができ、その結果、海苔網および海苔網に繁殖している海苔に付着する異物および既に付着している異物を海苔網の周りに移動させて分離することができる。さらに、海水は、洗浄流体の調達を容易とすることができる。さらにまた、流体流出部材は、洗浄部位における海水に対して、海苔網および海苔網に繁殖している海苔に付着する異物および既に付着している異物を海苔網の周りに移動させる方向への流れを形成することができる。
【００２６】
また、本発明の請求項９に記載の海苔洗浄装置の特徴は、請求項７または請求項８において、前記ノズルから流出する洗浄流体の流出力は、海苔網の幅方向の中央部における洗浄流体の流出力を、海苔網の幅方向の端部における洗浄流体の流出力より大きくするように構成した点にある。
【００２７】
そして、このような構成とすることにより、洗浄部位における海水に対して、海苔網および海苔網に繁殖している海苔に付着する異物および既に付着している異物を海苔網の周りに移動させる方向への流れをより確実に形成することができる。
【００２８】
また、本発明の請求項１０に記載の海苔洗浄装置の特徴は、請求項７乃至請求項９の何れか１項において、前記流体流出部材は、海苔網の幅方向の中央部に位置する部位を、海苔網の幅方向の端部に位置する部位より船体の進行方向の前方に位置するように構成した点にある。
【００２９】
そして、このような構成とすることにより、洗浄部位における海水に対して、海苔網および海苔網に繁殖している海苔に付着する異物および既に付着している異物を海苔網の周りに移動させる方向への流れをよりさらに確実に形成することができる。
【００３０】
【発明の実施の形態】
以下、本発明の実施の形態を図面より説明する。
【００３１】
図１は本発明に係る海苔洗浄方法を適用する本発明に係る海苔洗浄装置の実施の形態の一例の全体の構成を示す構成図である。
【００３２】
図１に示すように、本実施の形態の海苔洗浄装置１は、海面に展張されている海苔網２に繁殖している海苔（図示せず）に対して、洗浄流体（図示せず）を図１において矢印Ａにて示すように海苔網２の海底側（海苔網２の下方）から流出する複数のノズル３を備えた流体流出部材４を有している。この流体流出部材４の所望の位置には、洗浄流体を流体流出部材４へ供給するための供給管５の一端が接続されており、供給管５の他端は、洗浄流体を流体流出部材４へ所望の圧力をもって送出するためのポンプ６へ接続されている。そして、本実施の形態におけるポンプ６には、洗浄流体としての海水を海中から汲み取るための吸水管７の一端が接続されている。なお、供給管５および吸水管７は、パイプ材やホース材等から必要に応じて選択するとよい。また、洗浄流体としては、空気、海水に空気を混合したもの等の各種の流体から必要に応じて選択すればよい。なお、洗浄流体として空気、海水に空気を混合したもの等を用いる場合には、コンプレッサ、高圧ガスタンク等（図示せず）を配設すればよい。
【００３３】
前記流体流出部材４について図２により具体的に説明する。
【００３４】
図２は本発明に係る海苔洗浄方法を適用する本発明に係る海苔洗浄装置の流体流出部材の一例を示す平面図である。
【００３５】
図２に示すように、本実施の形態の流体流出部材４は、平面略Ｖ字形状に形成された本体８を有している。この本体８は、図２において上下方向に示す上下１対のパイプ部９と、上下１対のパイプ部８の接続部（本体８のＶ字形状の屈曲部）に位置する平面略Ｔ字形状に形成された供給部１０とを有している。そして、パイプ部９には、適時な間隔を隔てて複数のノズル３が設けられており、パイプ部９の自由端は、溶接等によって閉塞されている。さらに、本実施の形態における各ノズル３は、洗浄流体を外部へ流出させるノズル径が同一とされている。そして、接続部１０には、供給管５の一端が接続されるようになっている。
【００３６】
また、本実施の形態の流体流出部材４は、後述する作業船１１に取着された海面部に展張されている海苔網２を船上に掬い上げるための図２において想像線にて示す前部案内部材１２の先端部に取着されて用いられるようになっている。
【００３７】
なお、流体流出部材４の形状としては、Ｖ字形状に限らず、Ｕ字形状等の各種の形状から必要に応じて選択すればよい。
【００３８】
ここで、本実施の形態の海苔洗浄装置１を搭載した作業船１１について図３および図４により説明する。
【００３９】
図３は本発明に係る海苔洗浄装置を搭載した作業船の要部を示す正面図であり、図４は平面図である。
【００４０】
図３および図４に示すように、本実施の形態における作業船１１は、船体１３と、船体１３の進行方向上流側に配置され海苔網２を海面から掬いあげ船体１３の上部を船首から船尾方向に案内する案内手段１４と、船体１３の略中央に配置された従来公知の刈取り機構１５とを有しており、船体１３の船尾部には、適宜な動力推進機構１６が配置されている。この動力推進機構１６は、配置されている方が海苔の養殖場への往復等に自力推進可能なため効率的であるが、なくてもよい。
【００４１】
さらに詳しく説明すると、船体１３の甲板の上部には、パイプ状の案内手段１４が設けられている。この案内手段１４は、角と称される前部案内部材１２および上部案内部材１７から形成されている。そして、前部案内部材１２は、平面略Ｕ字形状に形成されており、このＵ字形状の湾曲した先端は船首より所望の傾斜角度で海中に没し、他端は下向きの適宜な支持部材１９ａにより甲板に立脚するとともに、前記上部案内部材１７に図示しないボルト等の適宜な係合手段により着脱自在および回動自在に取付けられている。また、上部案内部材１７は、船体１３の左右舷側上方に、船体１３の進行方向と平行に配置された２本のパイプ１８，１８により形成されており、これら２本のパイプ１８，１８は、船体１３の進行方向と直交する複数の支持部材１９ｂ，１９ｂ…により船体１３に固定されている。
【００４２】
そして、上部案内部材１７は、前記前部案内部材１２により掬いあげられた海苔網２が円滑に船体１３の後部へ導かれるように前部案内部材１２と連続した曲線、もしくは、直線を形成するように構成されている。
【００４３】
また、前記前部案内部材１２および上部案内部材１７の幅は、海苔網２の幅とほぼ同一か、海苔網２の幅より大きくするとよい。
【００４４】
前記前部案内部材１２は前述したように、図示しないボルト等の適宜な係合手段により上部案内部材１７との係合部において分割および回動可能とされている方が、作業船１１の養殖場への往復時に、前部案内部材１２を海中より引き上げることができ、海水の抵抗を受けることがなく、また、停泊時における前部案内部材１２の損傷、破壊を防止する意味で好ましいが、分割せずに全てを固定しておいても、本質的に問題はない。また、前部案内部材１２の先端形状はＵ字形に限らずＶ字形など海面に浮かんでいる海苔網２を作業船１１の前進にともない、円滑に掬い上げ得る形状であればよいので特に限定されるものではない。例えば、前部案内部材１２の先端部は、図３において実線にて示すように、海面とほぼ平行な水平となるようにしたり、同図鎖線にて示すように水平部を設けないで海中に斜めに没するように形成してもよい。
【００４５】
そして、船体１３の後方部には収穫された海苔を収穫する図示しない収納部が設けられており、前記刈取り機構１５で刈り取られた海苔は、収納部に向かって傾斜している甲板を滑りながら収納部に納められる。
【００４６】
また、船体１３の最後尾には、図示しない操舵室が設けられており、この操舵室の高さは、海苔網２の上部案内部材１７上の走行を妨げないように、上部案内部材１７の高さより低くなっており、操舵室内には刈取り機構９および海苔洗浄装置１のポンプ６等の動作を指令管理する制御部を備えており、すべての操作をこの操舵室内で行うようになっている。
【００４７】
さらに、作業船１１の前部案内部材１２の先端部の上面には、本実施の形態の海苔洗浄装置１の流体流出部材４が取着されており、船体１３の船尾近傍には、本実施の形態の海苔洗浄装置１のポンプ６が配設されている。そして、流体流出部材４とポンプ６とは、供給管５によって接続されており、ポンプ６には、吸水管７の一端が接続され、この吸水管７の他端は、船体１３の舷側に沿って海中に没入するようにして配設されている。
【００４８】
なお、作業船１１としては、従来公知の酸処理機構（図示せず）を搭載し、海苔を刈り取った後の海苔網２に酸処理を施すものであってもよい。
【００４９】
つぎに、前述した構成からなる本実施の形態の作用について説明する。
【００５０】
海苔の刈取り作業は、作業船１１の動力推進機構１６を稼働させて、海苔の養殖場の海面に展張されている所望の海苔網２の一端へ自力推進させ、その後動力推進機構１６を停止させる。そして、船体１３の甲板上等に回動された前部案内部材１２を海面に展張されている所望の海苔網２の一端に対向するようにして海面下に没入させる。この時、海苔洗浄装置１の流体流出部材４は、前部案内部材１２の上面に取着されているので、前部案内部材１２とともに海面下に没入される。
【００５１】
つぎに、船体１３の動力推進機構１６を再び稼働させて海苔網２の他端に向けて自力推進させるとともに、海苔洗浄装置１および刈取り機構１５を稼働させる。すると、海苔洗浄装置１においては、ポンプ６が駆動して、吸水管７が洗浄流体としての海水を汲み上げるとともに、汲み上げた海水は、供給管５を介して流体流出部材４の供給部１０に所望の送出され、流体流出部材４の供給部１０へ供給された海水は、流体流出部材４のパイプ部９に達するとパイプ部９に設けられた複数のノズル３から流出（吐出）される。
【００５２】
この流体流出部材４の複数のノズル３から流出される海水により、掬い上げる前の海苔網２に繁殖している海苔から異物を除去し、続いて先端を海面下に没した前部案内部材１２により、海苔網２を連続的に掬いあげるとともに、海苔網２を船体１３の自力推進にともない上部案内部材１７に沿って船尾に向かって導びき、この上部案内部材１７に沿って移動する海苔網２から垂れ下がった海苔の葉体を、船体の略中央部に配置された刈取り機構１５によって連続して刈り取って船体１３の収納部（図示せず）へ収納し、その後、海苔網２を船体１３の船尾から再び海面に戻す。
【００５３】
前記流体流出部材４による異物の除去をさらに説明すると、複数のノズル３から吐出される海水は、海面部に展張されている船上に掬い上げる前の海苔網２に対して海底側から吐出され、海苔網２および海苔網２に繁殖している海苔に付着する異物および既に付着している異物を海苔網２の周りに移動させて分離することができる。
【００５４】
すなわち、本実施の形態の海苔洗浄装置１は、ノズル３から海水を吐出することにより、海流を強制的に形成し、この海流により、海面部に展張されている船上に掬い上げる前の海苔網２に付着していたり、海苔網の周りに浮遊している浮遊物等からなる異物を海苔から分離して海苔網２の外側に確実に移動させることができる。
【００５５】
また、本実施の形態の海苔洗浄装置１においては、供給部１０から各ノズル３までの距離によって、各ノズル３から吐出される海水の流出力（吐出力）が異なる構成とされている。つまり、供給部１０に近いノズル３から吐出される海水の吐出力は、供給部１０から各ノズル３までの距離によって、供給部１０に近い位置に設けられたノズル３ほど吐出される海水の吐出力が大きくなるように構成されており、供給部１０を流体流出部材４の中央部位に設けることにより、洗浄状態における海苔網２の幅方向の中央部におけるノズル３から吐出される海水の流出力を、海苔網２の幅方向の端部におけるノズル３から吐出される海水の流出力より大きくすることができる。
【００５６】
したがって、各ノズル３から吐出される海水によって形成される海流は、洗浄状態において、海苔網２の幅方向の中央部から海苔網２の幅方向の両端部に向かって形成され、これにより、異物を海苔網の幅方向の外側へより確実に移動させることができる。
【００５７】
なお、各ノズル３から吐出される海水の流出力を海苔網２の幅方向で異ならせることのできる構成としては、各ノズル３のノズル径を異ならせる構成としてもよい。この場合には、供給部１０の位置は任意の位置とすることができる。また、供給部１０に対するノズル３の位置と、各ノズル３のノズル径とを組み合わせた構成としてもよい。
【００５８】
さらにまた、流体流出部材４は、洗浄状態における海苔網２の幅方向の中央部に位置する供給部１０を船体１３の進行方向の最も前方に位置させ、海苔網２の幅方向の端部に位置するパイプ部９の自由端を船体１３の船首部側に位置させたＶ字形状、すなわち、海苔網２の幅方向の中央部に位置する部位を、海苔網２の幅方向の端部に位置する部位より船体１３の進行方向の前方に位置するように形成されているので、各ノズル３から吐出される海水によって形成される海流は、Ｖ字形状のスクレーパ如く、異物を海苔網２の周りに移動させる方向への流れをよりさらに確実に形成し、異物を海苔網の幅方向の外側へよりさらに確実に移動させることができる。
【００５９】
したがって、本実施の形態の海苔洗浄装置１によれば、刈り取った海苔に異物が混入することがなく、高品質の海苔を確実に得ることができる。また、海苔を洗浄する洗浄流体として海水を用いているので、作業現場において洗浄流体を容易に調達することができる。
【００６０】
なお、本発明は前述した実施の形態に限定されるものではなく、必要に応じて種々の変更が可能である。
【００６１】
例えば、案内手段１４を構成する前部案内部材１２の先端部を流体流出部材４として用いたり、案内手段１４を流体流出部材４に海水を供給する供給管５として利用してもよい。
【００６２】
【発明の効果】
以上説明したように本発明の海苔洗浄方法および海苔洗浄装置によれば、ノズルから海水を吐出することにより、海流を強制的に形成し、この海流により、海面部に展張されている船上に掬い上げる前の海苔網に付着していたり、海苔網の周りに浮遊しているゴミ等の浮遊物等からなる異物を海苔から確実に排除することができるので、高品質の海苔を得ることができるという極めて優れた効果を奏する。
【図面の簡単な説明】
【図１】  本発明に係る海苔洗浄方法を適用する本発明に係る海苔洗浄装置の実施の形態の一例の全体の構成を示す構成図
【図２】  本発明に係る海苔洗浄方法を適用する本発明に係る海苔洗浄装置の流体流出部材の実施の形態の一例を示す平面図
【図３】  本発明に係る海苔洗浄装置を搭載した作業船の実施の形態の一例の要部を示す正面図
【図４】  図３の平面図
【符号の説明】
１  海苔洗浄装置
２  海苔網
３  ノズル
４  流体流出部材
５  供給管
６  ポンプ
７  吸水管
８  本体
９  パイプ部
１０  供給部
１１  作業船
１２  前部案内部材
１３  船体
【図１】
0003670063.tif 000002
【図２】
0003670063.tif 000003
【図３】
0003670063.tif 000004
【図４】
0003670063.tif 000005